(57)【要約】  【課題】  磁気ディスク装置の動作中で、情報の記録再生動作を行わない待機状態時に、外部から衝撃により、磁気ヘッドと磁気ディスクが接触した場合にも磁気ディスク上に書かれたデータの損傷を無くすことが可能となる磁気ディスク装置を提供するものである。  【解決手段】  磁気ディスク２の面上に通常の情報を記録再生しない退避領域１６を設け、待機状態時には、この退避領域上に磁気へッドが位置するようにキャリッジ５移動し、この状態で外部からの衝撃により磁気ヘッドと磁気ディスクが接触しても、データ領域の損傷を無くする構成とした。【選択図】  図２1
2005149654.tif 000002
【特許請求の範囲】
【請求項１】
キャリッジに搭載された磁気ヘッドを、そのキャリッジの移動に伴って、回転駆動される磁気ディスク上をその径方向に移動せしめて、前記磁気ディスクに情報を記録再生し、前記磁気ディスクが回転停止の非動作時に前記磁気ヘッドを退避させる非動作時退避機構を有する磁気ディスク装置であつて、サーボ情報のみで構成されデータ領域として用いない動作時退避領域を前記磁気ディスク上に少なくとも１つ形成し、前記磁気ディスク回転中の装置動作時において、前記磁気ディスクに情報の記録再生が行われない待機状態の際には、前記磁気へッドを前記動作時退避領域上に位置せしめることを特徴とする磁気ヘッド装置。
【請求項２】
キャリッジに搭載された磁気ヘッドを、そのキャリッジの移動に伴って、回転駆動される磁気ディスク上をその径方向に移動せしめて、前記磁気ディスクに情報を記録再生し、前記磁気ディスクが回転停止の非動作時に前記磁気ヘッドを退避させる非動作時退避機構を有する磁気ディスク装置であつて、一般ユーザが意図して管理しないサーボ情報と、ファームウェアあるいはテストコード領域等の製造情報を記録した動作時退避領域を前記磁気ディスク上に少なくとも１つ形成し、前記磁気ディスク回転中の装置動作時において、前記磁気ディスクに情報の記録再生が行われない待機状態の際には、前記磁気へッドを前記動作時退避領域上に位置せしめることを特徴とする磁気ヘッド装置。
【請求項３】
前記磁気ヘッドは、前記磁気ヘッドを前記磁気ディスク面から浮上させるための略直方体形状のスライダを含み、前記動作時退避領域の幅は、スキュー角を考慮した前記スライダの前記磁気ディスクに略平行な面の最大対角幅以上の幅であることを特徴とする請求項１あるいは請求項２に記載の磁気ディスク装置。
【請求項４】
前記動作時退避領域の１つが磁気ディスク上のデータ領域より外周部に設けられていることを特徴とする請求項１あるいは請求項２に記載の磁気ディスク装置。
【請求項５】
前記動作時退避領域の１つが磁気ディスク上のデータ領域より内周部に設けられていることを特徴とする請求項１あるいは請求項２に記載の磁気ディスク装置。
【請求項６】
前記動作時退避領域の１つが磁気ディスク上のデータ領域のディスク径方向の中間点を含んでいることを特徴とする請求項１あるいは請求項２に記載の磁気ディスク装置。
【発明の詳細な説明】
【技術分野】
【０００１】
本発明は、磁気ディスクが回転停止の非動作時に磁気ヘッドを退避させる非動作時の退避機構を有する磁気ディスク装置において、アームの一端にサスペンションを介して磁気ヘッドが固定されたキャリッジを、その中間点を移動支点として回動せしめ、磁気ヘッドを回転駆動される磁気ディスクの略径方向に移動せしめることにより、磁気ディスクに情報を記録または再生する磁気ディスク装置に関するもので、特に、磁気ディスク装置の動作中における記録再生動作を行わない待機状態になった際の磁気へッドの移動量を小さくし、その移動に要する消費電力を軽減すると共に、その待機状態から記録再生命令が有った場合、より速やかに前記磁気ヘッドを磁気ディスク上の所定の記録再生位置まで移動できる具体的な手段を提供するものである。
【背景技術】
【０００２】
図６は一般的な磁気ディスク装置の一例の概略を示す一部切欠斜視図であり、２はスピンドルモータ（図示せず）の回転軸にディスククランプ３により固定されている磁気ディスクである。９はその中間点において軸１０を回動軸として回動可能にシャーシ７に取り付けられたアームあり、その一端には、先端部に磁気ヘッドが取り付けられたサスペンション８が固定されキャリッジ５を形成している。
【０００３】
１１はアーム９の他端部に設けられた駆動コイルであり、１３は駆動コイル１１の下面との間に所定の空隙を介して対向するように、ヨーク１２ａを介してシャーシ７に固定されたマグネットであり、１２ｂは駆動コイル１１の上面との間に所定の空隙を有して対向するように配置されたヨークである。
【０００４】
すなわち、駆動コイル１１，マグネット１３、ヨーク１２ａ、１２ｂによりボイスコイルモータが構成され、駆動コイル１１に所定方向の電流を流すことにより、キャリッジ５が軸１０を中心として左右に所定角度回動するよう構成され、このキャリッジ５の回動に伴って、磁気ヘッドが磁気ディスク２上をその径方向に円弧状に移動可能に構成されている。
【０００５】
１５は磁気ディスク２の側方に位置し、前記サスペンション８の先端部が移動する円周上に、その周方向に沿って上り勾配、下り勾配をなすランプであり、磁気ディスク装置が回転停止している非動作時には、サスペンション８の先端に設けられたロードタブ８ａがランプ１５の頂部を乗り越えた非動作時退避機構（以下退避位置と称す）１５ａに移動し、サスペンション８（従って、磁気ヘッド）を磁気ディスク２上から退避させる（例えば特許文献１参照）。
【０００６】
磁気ディスク回転中の装置動作時においては、磁気ディスク装置の起動時にコイル１１に通電し、サスペンション８の先端のロードタブ８ａをランプ１５の退避位置１５ａより磁気ディスク２面上へ、すなわち、磁気ヘッドを磁気ディスク２面上へ移動させる。磁気ヘッドが磁気ディスク２面上へ移動した後は情報の記録又は再生の命令が出される毎に、キャリッジ９を所定角度だけ回動せしめて、磁気ヘッドを磁気ディスク２上の所定の場所へ移動して、命令の実行を行い、命令がない場合には通常直前の命令に対応したランダムな場所に留まっている。
【０００７】
また、磁気ヘッドは磁気ディスク２上にて情報の記録再生を行うが、常に磁気ヘッドは磁気ディスク２面上に位置している訳ではなく、一定時間情報の記録再生が行われなければ、前記ロードタブ８ａがランプ１５の退避位置１５ａへと移動するようにキャリッジ５を駆動し、次に記録再生が行われるまでその退避位置１５ａに留まり、磁気ヘッドを磁気ディスク２面上から退避させる。さらに、モバイル使用の場合には、一定時間情報の記録再生が行われなければ、バッテリーの駆動時間を長くさせるためスピンドルモータの回転を停止させている。
【特許文献１】特公平８−３４０５４号公報（第７頁、第１図、第３図）
【発明の開示】
【発明が解決しようとする課題】
【０００８】
近年、磁気ディスク装置は装置の小型化に伴い、内蔵のバッテリーにより使用可能な携帯型のパーソナルコンピュータ等に搭載されるようになり、動作時，非動作時に関らず磁気ディスク装置の耐衝撃性能以上の外部衝撃を受けやすく壊れやすい状況にある。従って、磁気ディスク装置の動作時においても情報の記録再生が行われない場合には出来るだけ磁気へッドを退避位置１５ａに位置せしめるのが望ましいが、頻繁に磁気ヘッドを磁気ディスク上から退避位置１５ａまで退避させることは、消費電力の増加につながり、バッテリー駆動時間が短縮されるため退避の頻度を上げるのは困難であり、また、使用状況によっては磁気ディスク上から退避せずに磁気ディスク装置駆動中の大部分にわたり磁気ヘッドが磁気ディスク上に位置することもある。このように磁気ヘッドが磁気ディスク上に位置する状態で、外部から磁気ヘッドをディスク面へ押さえ付けている荷重（グラムロード）以上の強い衝撃が加えられると、磁気ヘッドがディスク面から遠ざかり（持ち上がり）、その反動で磁気ヘッドが磁気ディスクを叩き磁気ディスク面上に圧痕が付き磁気ディスク上に書かれたデータを失ってしまうことがある。
【課題を解決するための手段】
【０００９】
前記課題を解決するために、本発明の磁気ディスク装置は、キャリッジに搭載された磁気ヘッドを、そのキャリッジの移動に伴って、回転駆動される磁気ディスク上をその径方向に移動せしめて、前記磁気ディスクに情報を記録再生し、前記磁気ディスクが回転停止の非動作時に前記磁気ヘッドを退避させる非動作時退避機構を有する磁気ディスク装置であつて、サーボ情報のみで構成されデータ領域として用いない動作時退避領域を前記磁気ディスク上に少なくとも１つ形成し、前記磁気ディスク回転中の装置動作時において、前記磁気ディスクに情報の記録再生が行われない待機状態の際には、前記磁気へッドを前記動作時退避領域上に位置せしめることを特徴とする磁気ヘッド装置であり、本発明によれば、待機状態においても、磁気ヘッドを磁気ディスク外の退避位置まで移動せしめる必要がなく、それだけ消費電力の低減が計れるものであり、また、磁気ヘッドが磁気ディスク上に位置するため、待機状態より速やかに所定の記録再生位置まで磁気ヘッドを移動出来るものである。さらに、磁気ヘッドが動作時退避領域上に位置するときに外部から衝撃が加わったとしても、データを失うことがなくなる。
【発明の効果】
【００１０】
以上のように、本発明の磁気ディスク装置によれば、磁気ディスク面にサーボ情報のみの動作時退避領域を設け、磁気ディスクが回転中の待機状態においても、磁気ヘッドを磁気ディスク外の退避位置まで移動せしめる必要がなく、それだけ消費電力の低減が計れるものであり、また、磁気ヘッドが磁気ディスク上に位置するため、待機状態より速やかに所定の記録再生位置まで磁気ヘッドを移動出来るものである。さらに、磁気ヘッドが動作時退避領域上に位置するときに外部から衝撃が加わったてしも、データを失うことがない。
【発明を実施するための最良の形態】
【００１１】
本発明の請求項１に記載の磁気ディスク装置は、キャリッジに搭載された磁気ヘッドを、そのキャリッジの移動に伴って、回転駆動される磁気ディスク上をその径方向に移動せしめて、前記磁気ディスクに情報を記録再生し、前記磁気ディスクが回転停止の非動作時に前記磁気ヘッドを退避させる非動作時退避機構を有する磁気ディスク装置であつて、サーボ情報のみで構成されデータ領域として用いない動作時退避領域を前記磁気ディスク上に少なくとも１つ形成し、前記磁気ディスク回転中の装置動作時において、前記磁気ディスクに情報の記録再生が行われない待機状態の際には、前記磁気へッドを前記動作時退避領域上に位置せしめることを特徴とする磁気ヘッド装置であり、待機状態においても、磁気ヘッドを磁気ディスク外の非動作時の退避位置まで移動せしめる必要がなく、それだけ消費電力の低減が計れるものであり、また、磁気ヘッドが磁気ディスク上に位置するため、その待機状態より記録再生命令が有った場合、速やかに所定の記録再生位置まで磁気ヘッドを移動出来るものである。
【００１２】
つぎに、本発明の請求項２に記載の磁気ディスク装置は、キャリッジに搭載された磁気ヘッドを、そのキャリッジの移動に伴って、回転駆動される磁気ディスク上をその径方向に移動せしめて、前記磁気ディスクに情報を記録再生し、前記磁気ディスクが回転停止の非動作時に前記磁気ヘッドを退避させる非動作時退避機構を有する磁気ディスク装置であつて、一般ユーザが意図して管理しないサーボ情報と、ファームウェアあるいはテストコード領域を記録した動作時退避領域を前記磁気ディスク上に少なくとも１つ形成し、前記磁気ディスク回転中の装置動作時において、前記磁気ディスクに情報の記録再生が行われない待機状態の際には、前記磁気へッドを前記動作時退避領域上に位置せしめることを特徴とする磁気ヘッド装置であり、磁気ヘッドが前記動作時退避領域上に位置するときに外部から衝撃が加わったとしても、一般ユーザが必要とするデータを失うことがなくなり、
磁気ディスクの記録容量の減少量を最小限に抑えることができる。
【００１３】
本発明の請求項３に記載の磁気ディスク装置は、前記磁気ヘッドは、前記磁気ヘッドを前記磁気ディスク面から浮上させるための略直方体形状のスライダを含み、前記動作時退避領域の幅は、スキュー角を考慮した前記スライダの前記磁気ディスクに略平行な面の最大対角幅以上の幅であることを特徴とする請求項１あるいは請求項２に記載の磁気ディスク装置であり、より好適にディスク面上のデータ領域を保護できるという作用を有する。
【００１４】
つぎに、本発明の請求項４に記載された磁気ディスク装置は、前記動作時退避領域の１つが磁気ディスク上のデータ領域より外周部に設けられていることを特徴とする請求項１あるいは請求項２に記載の磁気ディスク装置であり、一般に磁気ディスクの外周へのロード時における磁気ヘッドの降下部は、磁気ヘッドと磁気ディスクの接触の可能性があり、データ領域として用いていないため、その領域を含むように動作時退避領域を設ければ、動作時退避領域の設置に伴う磁気ディスク面上のデータ領域の減少を抑えることが可能となる。
【００１５】
つぎに、本発明の請求項５に記載された磁気ディスク装置は、前記動作時退避領域の１つが磁気ディスク上のデータ領域より内周部に設けられていることを特徴とする請求項１あるいは請求項２に記載の磁気ディスク装置であり、この構成によれば、データ領域としては単位面積当たりの容量が少ない磁気ディスクの内周部を動作時退避領域として使用するため、同一幅の動作時退避領域の場合、外周部に設ける場合に比べて、データ領域の減少を抑えることが可能である。
【００１６】
つぎに、本発明の請求項６に記載の磁気ディスク装置は、前記動作時退避領域の１つが磁気ディスク上のデータ領域のディスク径方向の中間点を含んでいることを特徴とする請求項１あるいは請求項２に記載の磁気ディスク装置であり、データ領域の半径方向の中間点を含んだ中央に動作時退避領域を設けているため、その待機状態から次の記録再生命令が有った際、より速やかにその所定の位置に磁気ヘッドが移動できるものである。
【００１７】
（実施の形態１）
以下に、本発明の請求項１から請求項３に記載された発明の実施の形態について、図１から図３を用いて説明する。
【００１８】
図１は、本発明の一実施の形態における磁気ディスク装置の概略を示す一部切欠斜視図であり、前述した図６に示す従来の磁気ディスク装置と同様の作用を有する部材には図６と同じ符号を付している。
【００１９】
この磁気ディスク装置の従来のものと異なるのは、磁気ディスク２面上の通常の情報を記録再生するデータ領域の磁気ディスクの径方向の中間点（有効データ領域の）に、通常の情報を記録再生するデータ領域として用いない環状の動作時退避領域１６を設け、その領域内にはサーボ情報のみを記録し一般ユーザが使用するデータ領域として用いない点である。
【００２０】
そして、磁気ディスク装置の動作中で、ある一定期間情報の記録再生が行われない待機状態時には、磁気へッドを従来の退避位置１５ａに代えて図２に示すように、この動作時退避領域１６上に位置せしめるものである。
【００２１】
こので退避領域１６の幅は、図３に拡大して示すように磁気ディスク２中心から磁気ヘッド４までの最短距離以下の内周側半径と最長距離以上の外周側半径により構成されている。また、この動作時退避領域１６の表面（例えば表面粗さ、材質）は、磁気ヘッド４が当接しても磁気ヘッドに損傷が生じないように、例えば、他のデータ領域と同様に構成されている。
【００２２】
従って、磁気ヘッド４がこの動作時退避領域１６上に位置する待機状態時に、磁気ディスク装置へ外部から衝撃が印加された場合、磁気ヘッド４が磁気ディスク２に当たり磁気ディスク２面に圧痕が付いても、動作時退避領域１６内の損傷となりデータ領域内の一般ユーザが必要とするデータを失うことなく保護することができる。
【００２３】
データ領域の半径方向の中間点を含んだ中央に動作時退避領域を設けているため、その待機状態から次の記録再生命令が有った際、耐衝撃性を有し、より速やかにその所定の位置に磁気ヘッドが移動できる構成を提供できる。
【００２４】
なお、図４および図５に示すように、磁気ディスク２の中央に動作時退避領域１６を設けるよう記載したが、連続した領域に記録する映像情報のような場合には、その用途に応じて、より速やかにその所定の位置に磁気ヘッドが移動するために、磁気ディスク２の内周部や外周部に配置することもできる。
（実施の形態２）
以下に、本発明の請求項２に記載された発明の実施の形態について説明する。
【００２５】
一般に磁気ディスク２の外周へのロード時における磁気ヘッドの降下部は、磁気ヘッドと磁気ディスク２の接触の可能性があり、磁気ディスク２の情報が壊れてしまうことがある。
【００２６】
磁気ディスク装置の製造過程において、ヘッド出力信号の波形等化にエレクトリックフィルタ等を用いた磁気ディスク装置等の回路パラメータ制御を行う際に、ヘッド毎に最適パラメータに制御して記録再生を行う磁気ディスク装置の回路パラメータ等のテストコードを記録しているが、動作時退避領域１６にそのテストコードを記録しておけば、記録容量の減少を緩和でき、その部分で衝撃等による損傷が発生しても、例えば磁気ディスク２の裏側にも設けられた動作時退避領域１６のテストコードを参照することにより、同じ動作時退避領域内にその損傷部分を修正できるため、磁気ディスクの記録容量の減少量を最小限に抑えることができる。また、一時的に磁気ディスクに記録しておくファームウェアを記録しておくこともできる。
（実施の形態３）
図７は本発明のさらに他の実施の形態を示すもので、磁気ヘッドは、その磁気ヘッドを前記磁気ディスク面から浮上させるための略直方体形状のスライダを含んでおり、動作時退避領域の幅を、スキュー角を考慮してスライダの磁気ディスクに略平行な面の最大対角幅以上の幅としたため、磁気ディスク２の回転による空気流が乱れて、アーム９の軸を中心に回動するヨー角が変動し、スライダが磁気ディスク２と接触しても、一般ユーザが必要とするデータの損傷を防止することができる。
【図面の簡単な説明】
【００２７】
【図１】本発明の実施の形態における磁気ディスク装置の概略を示す一部切欠斜視図
【図２】同実施の形態の磁気ディスク装置の概略を示す一部切欠平面図
【図３】同実施形態磁気ディスク装置の要部拡大平面図
【図４】本発明の他の実施の形態における磁気ディスク装置の概略を示す一部切欠平面図
【図５】本発明のさらに他の実施の形態における磁気ディスク装置の概略を示す一部切欠平面図
【図６】従来の磁気ディスク装置の概略を示す一部切欠斜視図
【図７】同実施形態磁気ディスク装置の動作時退避領域を示す図
【符号の説明】
【００２８】
１  シャーシ
２  磁気ディスク
３  ディスククランプ
４  磁気ヘッド
５  キャリッジ
８  サスペンション
９  アーム
１０  軸
１１  コイル
１２ａ，１２ｂ  ヨーク
１３  マグネット
１５  ランプ
１５ａ  退避位置
１６  動作時退避領域
【図１】
2005149654.tif 000003
【図２】
2005149654.tif 000004
【図３】
2005149654.tif 000005
【図４】
2005149654.tif 000006
【図５】
2005149654.tif 000007
【図６】
2005149654.tif 000008
【図７】
2005149654.tif 000009